(57)【要約】【課題】基板カバーの取付作業を容易に行うことができる照明装置を提供する。【解決手段】冷陰極管１７と、冷陰極管１７が収容されるシャーシ１４と、シャーシ１４に取り付けられるコントロール基板４０と、シャーシ１４に取り付けられ、コントロール基板４０を覆う形で配される基板カバー６０と、を備え、シャーシ１４における基板カバー６０の取付箇所には、基板カバー６０に向けて突出されるフック片７０が設けられ、フック片７０は、シャーシ１４の一部を基板カバー６０に向けて折り曲げて立設させる形で形成されており、基板カバー６０には、フック片７０が挿通されるカバー側挿通孔６３が形成されていることを特徴とする。【選択図】図５
2012054772.tif 000002
【特許請求の範囲】
【請求項１】
光源と、
前記光源が収容されるシャーシと、
前記シャーシに取り付けられる回路基板と、
前記シャーシに取り付けられ、前記回路基板を覆う形で配される基板カバーと、を備え、
前記シャーシにおける前記基板カバーの取付箇所には、前記基板カバーに向けて突出される突部が設けられ、
前記突部は、前記シャーシの一部を前記基板カバーに向けて折り曲げて立設させる形で形成されており、
前記基板カバーには、前記突部が挿通されるカバー側挿通孔が形成されていることを特徴とする照明装置。
【請求項２】
前記突部の突出端部は、前記基板カバーを前記シャーシとの間で挟持する形で前記シャーシ側へ折り曲げられていることを特徴とする請求項１に記載の照明装置。
【請求項３】
前記突部は、フック状をなすことを特徴とする請求項１または請求項２に記載の照明装置。
【請求項４】
前記突部は、互いに対向状に配された一対の板片から構成されていることを特徴とする請求項１から請求項３のいずれか一項に記載の照明装置。
【請求項５】
前記一対の板片のうち、少なくとも一方の板片の突出端からは、前記基板カバーを覆う形で折り返された折り返し部が延びており、
前記折り返し部は、他方の板片側へ弾性的に撓み変形可能とされ、前記他方の板片側へ撓み変形されることで、前記カバー側挿通孔に前記一対の板片を挿通させることが可能な構成であることを特徴とする請求項４に記載の照明装置。
【請求項６】
前記突部は、前記突出端に向かって先細りする形状をなすことを特徴とする請求項１から請求項５のいずれか一項に記載の照明装置。
【請求項７】
前記基板カバーには放熱フィンが形成されていることを特徴とする請求項１から請求項６のいずれか一項に記載の照明装置。
【請求項８】
請求項１から請求項７のいずれか一項に記載の照明装置と、
前記照明装置からの光を利用して表示を行う表示パネルと、を備えることを特徴とする表示装置。
【請求項９】
前記表示パネルが液晶を用いた液晶パネルであることを特徴とする請求項８に記載の表示装置。
【請求項１０】
請求項８又は請求項９に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
従来、液晶テレビなどの液晶表示装置に用いる液晶パネルは、自発光しないため、別途に照明装置としてバックライト装置を備えている。このようなバックライト装置は、液晶パネルの裏側（表示面とは反対側）に設置されるものが周知であり、液晶パネル側に開口された形状をなすシャーシと、シャーシにおける底板の内面側に設置される複数の光源（例えば冷陰極管やＬＥＤなど）と、シャーシの開口部に配されて光源が発する光を効率的に液晶パネル側へ放出させるための光学部材（拡散板等）と、シャーシ内に敷設され、光源からの光を光学部材並びに液晶パネル側に反射させる光反射シートなど備えている。
【０００３】
また、シャーシには、液晶表示装置の駆動に係る回路基板が取り付けられており、この回路基板を覆う形で基板カバーが取り付けられているものが知られている。このような基板カバー及び回路基板は、例えば、ビスなどの取付手段にてシャーシに取り付けられる。なお、シャーシに対して回路基板をビスで固定する構成の液晶表示装置の一例として下記特許文献１に記載されたものが知られている。
【先行技術文献】
【特許文献】
【０００４】
【特許文献１】特開２００７−１８０７５１号公報
【発明の概要】
【発明が解決しようとする課題】
【０００５】
上記のような基板カバーをシャーシに取り付ける場合には、基板カバーを所定の取付位置にて保持する必要がある。従来、このような基板カバーの保持は、作業者が手で行っており、作業性において改善の余地があった。
【０００６】
本発明は上記のような事情に基づいて完成されたものであって、基板カバーの取付作業を容易に行うことができる照明装置を提供することを目的とする。また、このような照明装置を備えた表示装置、及びテレビ受信装置を提供することを目的とする。
【課題を解決するための手段】
【０００７】
上記課題を解決するために、本発明の照明装置は、光源と、前記光源が収容されるシャーシと、前記シャーシに取り付けられる回路基板と、前記シャーシに取り付けられ、前記回路基板を覆う形で配される基板カバーと、を備え、前記シャーシにおける前記基板カバーの取付箇所には、前記基板カバーに向けて突出される突部が設けられ、前記突部は、前記シャーシの一部を前記基板カバーに向けて折り曲げて立設させる形で形成されており、前記基板カバーには、前記突部が挿通されるカバー側挿通孔が形成されていることに特徴を有する。
【０００８】
突部をカバー側挿通孔に挿通させることにより、基板カバーをシャーシに対して保持することができる。これにより、シャーシに対して基板カバーを取り付ける際に、基板カバーを保持することで、取付作業を容易に行うことができる。さらに、突部は、シャーシの一部を基板カバーに向けて折り曲げる形で形成されている。このため、突部をシャーシと別部材で構成する場合と比べて、機械的強度を高くすることができる。また、シャーシの一部を折り曲げるといった簡単な作業で突部を形成できるため、突部の形成に係るコストを低減できる。
【０００９】
上記構成において、前記突部の突出端部は、前記基板カバーを前記シャーシとの間で挟持する形で前記シャーシ側へ折り曲げられているものとすることができる。
【００１０】
突部の突出端部とシャーシとの間で、基板カバーを挟持する構成とすれば、従来、基板カバーを固定するために必要であったビスなどを削減することができる。また、突部の突出端部を折り曲げるだけで、基板カバーを挟持できるため、作業性が良好となる。
【００１１】
また、前記突部は、フック状をなすものとすることができる。突部をフック状とすれば、突部がカバー側挿通孔から抜けにくくなり、基板カバーをより確実に保持させることができる。
【００１２】
また、前記突部は、互いに対向状に配された一対の板片から構成されているものとすることができる。突部を一枚の板片から構成する場合と比較して、突部とカバー側挿通孔の内周面との接触箇所が多くなる。これにより、基板カバーをより安定した状態で保持することができる。
【００１３】
また、前記一対の板片のうち、少なくとも一方の板片の突出端からは、前記基板カバーを覆う形で折り返された折り返し部が延びており、前記折り返し部は、他方の板片側へ弾性的に撓み変形可能とされ、前記他方の板片側へ撓み変形されることで、前記カバー側挿通孔に前記一対の板片を挿通させることが可能な構成であるものとすることができる。
【００１４】
折り返し部が、基板カバーを覆う形で折り返されているため、一対の板片がカバー側挿通孔から抜ける事態を抑制できる。また、折り返し部を撓み変形させることで、一対の板片をカバー側挿通孔に挿通させることができるため、作業性も良好となる。
【００１５】
また、前記突部は、前記突出端に向かって先細りする形状をなすものとすることができる。突部を先細りする形状とすれば、カバー側挿通孔に突部を挿通させる作業が容易となる。
【００１６】
また、前記基板カバーには放熱フィンが形成されているものとすることができる。このような構成とすれば、回路基板から発生する熱を効果的に放熱することができる。
【００１７】
次に、上記課題を解決するために、上記照明装置と、前記照明装置からの光を利用して表示を行う表示パネルと、を備えることを特徴とする。
【００１８】
また、前記表示パネルとしては液晶パネルを例示することができる。このような表示装置は液晶表示装置として、種々の用途、例えばテレビやパソコンのディスプレイ等に適用でき、特に大型画面用として好適である。
【００１９】
次に、上記課題を解決するために、本発明のテレビ受信装置は、上記表示装置を備えることを特徴とする。
【発明の効果】
【００２０】
本発明によれば、基板カバーの取付作業を容易に行うことができる照明装置を提供できる。また、このような照明装置を備えた表示装置、及びテレビ受信装置を提供することが可能となる。
【図面の簡単な説明】
【００２１】
【図１】本発明の実施形態１に係るテレビ受信装置の概略構成を示す分解斜視図。
【図２】図１のテレビ受信装置が備える液晶表示装置の概略構成を示す分解斜視図。
【図３】液晶表示装置の長辺方向に沿った断面構成を示す断面図。
【図４】図２の液晶表示装置が備えるバックライト装置の裏面を示す平面図。
【図５】図４において基板カバーを取り付けた状態を示す拡大図。
【図６】フック片の構成を示す拡大図。
【図７】基板カバーの取付構造を示す断面図（図５のＡ−Ａ線で切断した図）。
【図８】基板カバーをフック片に保持させた状態を示す断面図。
【図９】基板カバーをフック先端部とシャーシ１４との間で挟持した状態を示す断面図。
【図１０】基板カバー及びコントロール基板の取付構造を示す断面図（図５のＢ−Ｂ線で切断した図）。
【図１１】本発明の実施形態２に係る基板カバーの取付構造を示す断面図。
【図１２】本発明の実施形態３に係る基板カバーの取付構造を示す断面図。
【図１３】本発明の実施形態４に係る基板カバーの取付構造を示す断面図。
【図１４】本発明の実施形態５に係る基板カバーの取付構造を示す断面図。
【発明を実施するための形態】
【００２２】
＜実施形態１＞
本発明の実施形態１を図１ないし図１０によって説明する。まず、液晶表示装置１０を備えたテレビ受信装置ＴＶの構成について説明する。図１は本実施形態のテレビ受信装置の概略構成を示す分解斜視図、図２は図１のテレビ受信装置が備える液晶表示装置の概略構成を示す分解斜視図、図３は図２の液晶表示装置の長辺方向に沿った断面構成を示す断面図である。なお、液晶表示装置１０（及びシャーシ１４）の長辺方向をＸ軸方向とし、短辺方向をＹ軸方向としている。また、図３における上下方向をＺ軸方向（表裏方向）とし、図３における上方向を表側、下方向を裏側としている。
【００２３】
本実施形態に係るテレビ受信装置ＴＶは、図１に示すように、液晶表示装置１０と、当該液晶表示装置１０を挟むようにして収容する表裏両キャビネットＣａ，Ｃｂと、電源基板Ｐと、チューナーＴと、スタンドＳとを備えて構成される。液晶表示装置１０（表示装置）は、全体として横長の方形を成し、縦置き状態（短辺方向が鉛直方向に沿って配された状態）で収容されている。この液晶表示装置１０は、図２に示すように、液晶パネル１１（表示パネル）と、外部光源であるバックライト装置１２（照明装置）とを備え、これらが枠状のベゼル１３などにより一体的に保持されるようになっている。
【００２４】
次に、液晶表示装置１０を構成する液晶パネル１１及びバックライト装置１２について説明する。液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが取り付けられている（図３参照）。
【００２５】
バックライト装置１２は、図２に示すように、光出射面側（液晶パネル１１側）に開口部１４ｂを有する略箱型をなすシャーシ１４と、シャーシ１４の開口部１４ｂを覆うようにして取り付けられる拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。
【００２６】
さらに、シャーシ１４内には、冷陰極管１７（光源）と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とが収容されている。なお、当該バックライト装置１２においては、冷陰極管１７よりも拡散板１５ａ側が光出射側となっている。
【００２７】
シャーシ１４は、金属製の板状部材が板金成形されたものとされ、矩形平板状の底板１４ａと、その各辺から立ち上がり略Ｕ字状に折り返された外縁部２１（短辺方向の短辺外縁部２１ａ及び長辺方向の長辺外縁部２１ｂ）とからなる略箱型をなしている。シャーシ１４の底板１４ａにおいて、その長辺方向の両端部には、中継コネクタ１９を取り付けるための取付孔２２が複数貫通形成されている。さらに、シャーシ１４の長辺外縁部２１ｂの上面には、固定孔（図示せず）が貫通形成されており、例えばネジ等によりベゼル１３、フレーム１６、及びシャーシ１４等を一体化することが可能とされている。なお、シャーシ１４の材質は金属に限定されず適宜変更可能である。
【００２８】
図２または図１０に示すように、シャーシ１４の底板１４ａの内面側（冷陰極管１７と対向する面側）には光反射シート２３が配設されている。光反射シート２３は、合成樹脂製とされ、その表面が反射性に優れた白色とされており、シャーシ１４の底板１４ａの内面に沿って、そのほぼ全域を覆うように敷かれている（図３では光反射シートは不図示）。この光反射シート２３により、冷陰極管１７から出射された光を拡散板１５ａ側に反射させることが可能となっている。
【００２９】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、線状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、シャーシ１４とフレーム１６とに挟まれることで固定されている。
【００３０】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能などを有する。当該光学シート１５ｂの上面側には液晶パネル１１が設置され、当該光学シート１５ｂは拡散板１５ａと液晶パネル１１とにより挟持されている。
【００３１】
冷陰極管１７は、細長い管状をなしており、その長さ方向（軸方向）をシャーシ１４の長辺方向と一致させた状態で、かつ多数本（本実施形態では２０本）が互いに平行に並んだ状態でシャーシ１４内に収容されている（図２参照）。これら冷陰極管１７の各端部には駆動電力を受容する端子（図示せず）が備えられ、当該端部が中継コネクタ１９に嵌め込まれ、これら中継コネクタ１９を被覆するようにホルダ２０が取り付けられている。
【００３２】
冷陰極管１７の端部を覆うホルダ２０は、白色を呈する合成樹脂製とされ、シャーシ１４の短辺方向に沿って延びる細長い略箱型をなしている。当該ホルダ２０は、シャーシ１４の短辺外縁部２１ａと一部重畳した状態で配されており、短辺外縁部２１ａとともに当該バックライト装置１２の側壁を構成している。図３に示すように、ホルダ２０のうちシャーシ１４の短辺外縁部２１ａと対向する面からは挿入ピン２４が突出しており、当該挿入ピン２４がシャーシ１４の短辺外縁部２１ａの上面に形成された挿入孔２５に挿入されることで、当該ホルダ２０はシャーシ１４に取り付けられるものとされている。
【００３３】
ホルダ２０の階段状面は、図３に示すように、シャーシ１４の底板１４ａと平行な３面からなり、最も低い位置にある第１面２０ａには拡散板１５ａの短辺縁部が載置されている。さらに、第１面２０ａからは、シャーシ１４の底板１４ａに向けて傾斜する傾斜カバー２６が延出されている。ホルダ２０の階段状面の第２面２０ｂには、液晶パネル１１の短辺縁部が載置されている。ホルダ２０の階段状面のうち最も高い位置にある第３面２０ｃは、シャーシ１４の短辺外縁部２１ａと重畳する位置に配され、ベゼル１３と接触するものとされている。
【００３４】
図２及び図４に示すように、シャーシ１４の底板１４ａの外面側（冷陰極管１７とは反対側、裏面側）には、インバータ基板３０及びコントロール基板４０が取り付けられている。なお、上述した電源基板Ｐ（図１参照、図４では図示せず）は、インバータ基板３０やコントロール基板４０などと電気的に接続され、これらに電力を供給する電力供給源とされる。
【００３５】
インバータ基板３０は、シャーシ１４の長辺方向の両端部にそれぞれ設けられ、シャーシ１４の短辺方向に沿って延びる方形状をなしている。各インバータ基板３０は、コネクタ２７及びハーネス２８を介して冷陰極管１７と電気的に接続されている。また、インバータ基板３０は、電源基板Ｐから入力される入力電圧をトランスなどにより構成されるインバータ回路によって昇圧し、入力電圧よりも高い出力電圧を冷陰極管１７へ出力するなどして冷陰極管１７の点灯（又は消灯）を制御する機能を有する。
【００３６】
コントロール基板４０（回路基板）は、図４に示すように、方形状をなしており、シャーシ１４の長辺方向における中央部、かつシャーシ１４の短辺方向において一方に偏った位置（図４の上側）に配されている。コントロール基板４０は、合成樹脂製（例えば紙フェノール製またはガラスエポキシ樹脂製など）の基板上に回路部品４１が実装されてなり、チューナーＴからのテレビ信号などの各種入力信号を液晶駆動用の信号に変換し、その変換した液晶駆動用の信号を液晶パネル１１に供給する機能を有する。
【００３７】
シャーシ１４の底板１４ａには、図２及び図５に示すように、コントロール基板４０を覆う形で基板カバー６０が取り付けられている。なお、図４は、基板カバー６０を取り外した状態のシャーシ１４を図示している。このような基板カバー６０は、コントロール基板４０の保護を図るものである。また、基板カバー６０は、コントロール基板４０に手などが触れる事態を防止する機能を担っており、コントロール基板４０の駆動時などにコントロール基板４０が高温となった際の安全性を高くしている。
【００３８】
基板カバー６０は、図５及び図１０に示すように、平面視方形状をなす板状の部材であって、シャーシ１４側に向かって開口された断面視略Ｕ字型をなす中央部６１と、中央部６１のＸ軸方向における両端（図５の左右両端）から底板１４ａに沿ってそれぞれ延びる端部６２と、を備えている。基板カバー６０は、その両端部６２が、コントロール基板４０のＸ軸方向における両側の周縁部とそれぞれ重畳する形でシャーシ１４に取り付けられる。
【００３９】
次に、シャーシ１４に対するコントロール基板４０及び基板カバー６０の取付構造について説明する。シャーシ１４の底板１４ａにおけるコントロール基板４０及び基板カバー６０の取付箇所には、図４に示すように、フック片７０（突部）が形成されている。フック片７０は、平面視における基板カバー６０の４隅に対応して、４か所設けられている。
【００４０】
フック片７０は、図６に示すように、シャーシ１４の底板１４ａにおいて、フック片７０の周辺部を切り欠いた後（切り欠き部を符号７１で示す）、図７に示すように、シャーシ１４の底板１４ａの一部を基板カバー６０側に向けて折り曲げて立設させる形で形成されている。フック片７０は、図６に示すように、フック基端部７２と、フック基端部７２に対して直角をなす形で延びるフック先端部７３（突部の突出端部）とから構成されたフック状をなしている。なお、フック先端部７３は、縦置き状態のバックライト装置１２においては、鉛直方向上側を向く形で延びている。
【００４１】
一方、コントロール基板４０において、フック片７０に対応する箇所には、図７に示すように、基板側挿通孔４２が形成されている。また、基板カバー６０の端部６２において、フック片７０に対応する箇所には、カバー側挿通孔６３が形成されている。基板側挿通孔４２及びカバー側挿通孔６３は、平面視において、重畳する形で配されている。
【００４２】
基板側挿通孔４２及びカバー側挿通孔６３は、平面視においてスリット状をなし、シャーシ１４の底板１４ａから直角に折り曲げた状態（図７の状態）のフック片７０が、その延設方向（Ｚ軸方向）から挿通可能となっている。なお、図６において、シャーシ１４の底板１４ａに対するフック片７０の折り曲げ箇所を、一点鎖線による折り曲げ線ＹＡで図示してある。
【００４３】
そして、フック片７０が基板側挿通孔４２及びカバー側挿通孔６３の双方に挿通された後、フック片７０のフック先端部７３を、フック基端部７２に対して、シャーシ１４側へ折り曲げる（言い換えると、フック先端部７３の先端側が基板カバー６０の中央部６１側へ向く形で折り曲げる）ことで、基板カバー６０（コントロール基板４０）をフック先端部７３とシャーシ１４との間で挟持する構成となっている（図９及び図１０参照）。なお、図６において、フック基端部７２に対するフック先端部７３の折り曲げ箇所を、一点鎖線による折り曲げ線ＹＢで図示してある。
【００４４】
また、フック先端部７３の先端部において、フック基端部７２側の隅部は、フック先端部７３に対して傾斜する形で切り欠かれた切り欠き部７３Ａとされる。言い換えると、フック片７０は、先端（突出端）に向かって先細りする形状をなしている。これにより、フック片７０（フック基端部７２及びフック先端部７３の双方）が、シャーシ１４の底板１４ａに対して直角をなしている状態（図７の状態）においては、フック先端部７３とシャーシ１４との対向間隔は、フック先端部７３の先端に向かうにつれて大きくなる構成となっている。
【００４５】
また、図４に示すように、シャーシ１４の底板１４ａにおいて、インバータ基板３０の長辺方向両端に対応する箇所には、フック片７０がそれぞれ形成されており、フック片７０を介して、インバータ基板３０及び基板カバー３１を取り付け可能な構成となっている。フック片７０を介して、インバータ基板３０及び基板カバー３１をシャーシ１４に取り付けるための取付構造は、コントロール基板４０及び基板カバー６０をシャーシ１４に取り付けるための取付構造と同じであるため、詳しい説明は省略する。
【００４６】
次に、本実施形態のバックライト装置１２において、シャーシ１４に対してコントロール基板４０及び基板カバー６０を取り付ける手順について説明する。本実施形態においては、シャーシ１４を保持具（図示せず）などで縦置き状態、つまり、シャーシ１４の底板１４ａの延設面が鉛直方向に沿った状態（図４の状態）とし、その状態でコントロール基板４０及び基板カバー６０の取付が行われる。また、本実施形態においては、シャーシ１４におけるコントロール基板４０が配される側（図４の上側）が鉛直方向上側となる形でバックライト装置１２が保持されている。
【００４７】
まず、図４及び図７に示すように、シャーシ１４の底板１４ａに対して直角に折り曲げた状態の各フック片７０がコントロール基板４０の各基板側挿通孔４２に挿通される形でコントロール基板４０を配する。続いて、各フック片７０が基板カバー６０の各カバー側挿通孔６３に挿通される形で基板カバー６０を配する。
【００４８】
これにより、フック片７０に基板カバー６０及びコントロール基板４０が引っ掛けられた状態、より具体的には、フック基端部７２に基板カバー６０及びコントロール基板４０が支持された状態（図８の状態）となり、基板カバー６０及びコントロール基板４０がシャーシ１４に対して保持（仮保持）される。
【００４９】
なお、フック片７０には、切り欠き部７３Ａが形成されており、フック先端部７３とシャーシ１４との対向間隔は、フック先端部７３の先端に向かうにつれて大きくなる構成となっているから、フック片７０に対して、基板カバー６０及びコントロール基板４０を引っ掛ける作業が容易となり、作業性を高くすることができる。
【００５０】
続いて、例えばペンチなどの工具を用いて、フック先端部７３をフック基端部７２に対して、シャーシ１４側に折り曲げ、フック先端部７３の板面を基板カバー６０の端部６２と対向配置させる（図５及び図９の状態）。これにより、基板カバー６０（及びコントロール基板４０）をフック先端部７３とシャーシ１４との間で挟持することができ、シャーシ１４に対するコントロール基板４０及び基板カバー６０の取り付けが完了する。
【００５１】
以上、説明したように、本実施形態のバックライト装置１２は、冷陰極管１７と、冷陰極管１７が収容されるシャーシ１４と、シャーシ１４に取り付けられるコントロール基板４０と、シャーシ１４に取り付けられ、コントロール基板４０を覆う形で配される基板カバー６０と、を備え、シャーシ１４における基板カバー６０の取付箇所には、基板カバー６０に向けて突出されるフック片７０が設けられ、フック片７０は、シャーシ１４の一部を基板カバー６０に向けて折り曲げて立設させる形で形成されており、基板カバー６０には、フック片７０が挿通されるカバー側挿通孔６３が形成されている。
【００５２】
フック片７０をカバー側挿通孔６３に挿通させることにより、基板カバー６０をシャーシ１４に対して保持することができる。これにより、シャーシ１４に対して基板カバー６０を取り付ける際に、基板カバー６０を保持することで、取付作業を容易に行うことができる。さらに、フック片７０は、シャーシ１４の一部を基板カバー６０に向けて折り曲げる形で形成されている。このため、フック片７０をシャーシ１４と別部材で構成する場合と比べて、機械的強度を高くすることができる。また、シャーシ１４の一部を折り曲げるといった簡単な作業でフック片７０を形成できるためコストを低減できる。
【００５３】
上記構成において、フック片７０のフック先端部７３は、基板カバー６０をシャーシ１４との間で挟持する形でシャーシ１４側へ折り曲げられている。
【００５４】
フック先端部７３とシャーシ１４との間で、基板カバー６０を挟持する構成とすれば、従来、基板カバー６０を固定するために必要であったビスなどを削減することができる。また、フック先端部７３を折り曲げるだけで、基板カバー６０を挟持できるため、作業性も良好となる。
【００５５】
また、フック片７０は、フック状をなしている。フック片７０をフック状とすれば、フック片７０がカバー側挿通孔６３から抜けにくくなり、基板カバー６０をより確実に保持させることができる。
【００５６】
また、フック片７０は、先端に向かって先細りする形状をなしている。フック片７０を先細りする形状とすれば、カバー側挿通孔６３にフック片７０を挿通させる作業が容易となる。
【００５７】
＜実施形態２＞
次に、本発明の実施形態２を図１１によって説明する。本実施形態のバックライト装置１１２は、突部の構成を上記実施形態とは異なる構成としたものである。なお、上記実施形態と同一部分には、同一符号を付して重複する説明を省略する。
【００５８】
上記実施形態においては、突部としてフック片７０を例示した。これに対して、本実施形態では、シャーシ１４の底板１４ａの一部を折り曲げて形成された一対の板片１７０を突部の一例としている。一対の板片１７０は、底板１４ａに対して、直角をなしており、互いに対向する形で配されている。
【００５９】
一方、コントロール基板４０及び基板カバー６０において、一対の板片１７０に対応する箇所には、それぞれ、基板側挿通孔１４２及びカバー側挿通孔１６３が形成されている。基板側挿通孔１４２及びカバー側挿通孔１６３には、一対の板片１７０を挿通可能となっている。
【００６０】
一対の板片１７０を基板側挿通孔１４２及びカバー側挿通孔１６３に挿通させることで、シャーシ１４に対してコントロール基板４０及び基板カバー６０を保持させることができる。これにより、コントロール基板４０及び基板カバー６０を取り付ける際の作業性を向上させることができる。なお、一対の板片１７０を基板側挿通孔１４２及びカバー側挿通孔１６３に挿通させた後、コントロール基板４０及び基板カバー６０をビス（図示せず）などの取付手段によって、シャーシ１４に固定してもよい。
【００６１】
また、一対の板片１７０（突部）をカバー側挿通孔１６３に挿通させることで、一枚の板片をカバー側挿通孔１６３に挿通させる構成と比較して、突部とカバー側挿通孔１６３の内周面との接触箇所が多くなる。これにより、基板カバー６０をより安定した状態で保持することができる。
【００６２】
＜実施形態３＞
次に、本発明の実施形態３を図１２によって説明する。本実施形態のバックライト装置２１２は、突部の構成を上記実施形態とは異なる構成としたものである。なお、上記実施形態と同一部分には、同一符号を付して重複する説明を省略する。
【００６３】
本実施形態においては、突部は一対の板片２７０から構成されている。そして、一対の板片２７０の突出端からは、基板カバー２６０の端部２６２を覆う形で折り返された折り返し部２７１がそれぞれ延びている。各折り返し部２７１は、他方の板片２７０側（一対の板片２７０の内側）へ弾性的に撓み変形可能とされる。
【００６４】
本実施形態においては、両折り返し部２７１が他方の板片２７０側へ、それぞれ撓み変形することで、両折り返し部２７１の配列方向（Ｘ軸方向）における両折り返し部２７１間の長さ（両折り返し部２７１の板厚を含んだ長さ）が、カバー側挿通孔２６３（及び基板側挿通孔２４２）の同方向（Ｘ軸方向）における長さよりも小さくなる構成となっている。これにより、両折り返し部２７１を他方の板片２７０側へ、それぞれ撓み変形させることで、カバー側挿通孔２６３（及び基板側挿通孔２４２）に、一対の板片２７０を挿通させることができる。
【００６５】
なお、両折り返し部２７１における外側の面は曲面状をなしている。これにより、一対の板片２７０をカバー側挿通孔２６３に挿通させる際に、カバー側挿通孔２６３の孔縁にて、折り返し部２７１をシャーシ１４の裏側（図１２の上側）から押圧することで、折り返し部２７１を他方の板片２７１側へ撓み変形させることができ、作業性を向上させることができる。
【００６６】
以上説明したように、本実施形態においては、折り返し部２７１が、基板カバー６０を覆う形で折り返されているため、一対の板片２７０がカバー側挿通孔２６３から抜ける事態を抑制できる。また、折り返し部２７１を撓み変形させることで、一対の板片２７０をカバー側挿通孔２６３に挿通させることができるため、作業性も良好となる。
【００６７】
＜実施形態４＞
次に、本発明の実施形態４を図１３によって説明する。本実施形態のバックライト装置３１２は、突部の構成を上記実施形態とは異なる構成としたものである。なお、上記実施形態と同一部分には、同一符号を付して重複する説明を省略する。
【００６８】
本実施形態において、シャーシ１４の底板１４ａには、図１３に示すように、取付台座部３５０が形成されており、コントロール基板４０は、複数の取付台座部３５０に跨る形で配されている。取付台座部３５０は、底板１４ａの一部をシャーシ１４外面側に突き出すことで形成されている。なお、図１３においては、取付台座部３５０を一か所のみ図示しているが、取付台座部３５０は、例えば、コントロール基板４０の４隅に対応して４か所設けられる。
【００６９】
本実施形態においては、取付台座部３５０の一部を折り曲げることで形成された板片３７０（突部）を備えている。板片３７０は、底板１４ａに対して、直角をなしている。板片３７０は、コントロール基板４０に形成された基板側挿通孔３４２、基板カバー６０の端部６２に形成されたカバー側挿通孔３６３の双方に挿通される構成となっている。
【００７０】
本実施形態においては、板片３７０を基板側挿通孔３４２及びカバー側挿通孔３６３に挿通させることで、コントロール基板４０及び基板カバー６０をシャーシ１４に対して保持（仮保持）させた後、ビスＢ１によって、コントロール基板４０及び基板カバー６０をシャーシ１４に取り付ける構成となっている。
【００７１】
具体的には、ビスＢ１は、コントロール基板４０に形成されたビス挿通孔３６４及び基板カバー６０に形成されたビス挿通孔３４３の双方にシャーシ１４外側から挿通された後に、取付台座部３５０の取付孔３５１にビスＢ１の先端部を螺合させることで、シャーシ１４に対するコントロール基板４０及び基板カバー６０の取付が可能な構成となっている。
【００７２】
また、本実施形態においては、シャーシ１４及び基板カバー６０は、例えば、金属製とされ、導電性を有している。なお、シャーシ１４及び基板カバー６０の材質は金属に限定されず、導電性を有するものであればよい。
【００７３】
さらに、コントロール基板４０には、一対の電極３４５が実装されている。一対の電極３４５（導電部）は、それぞれ断面視Ｌ字状をなしており、一端部３４５Ａが基板側挿通孔３４２にそれぞれ挿通されている。一対の電極３４５の他端部３４５Ｂは、コントロール基板４０の実装面４０Ａに沿って延び、コントロール基板４０のグランドパターン（図示せず）と電気的に接続されている。
【００７４】
一対の電極３４５における両一端部３４５Ａは、板片３７０を挟持するとともに、コントロール基板４０からシャーシ１４側に向けて突き出しており、その突出端の一部は、板片３７０に向けて折り曲げられた折り曲げ部３４６Ａとされる。両折り曲げ部３４６Ａは、その対向間隔が広がる方向に、弾性的に撓み変形可能とされ、各折り曲げ部３４６Ａは、板片３７０に形成された取付孔３７１に挿通可能な構成となっている。このような構成とすれば、板片３７０が基板側挿通孔３４２及びカバー側挿通孔３６３から抜ける事態を抑制できる。また、板片３７０は、一対の電極３４５及び基板カバー６０の双方と接触されており、電気的に接続されている。
【００７５】
また、一対の電極３４５における他端部３４５Ｂは、基板カバー６０の端部６２と接触されている。以上の構成から、基板カバー６０、板片３７０（シャーシ１４）、一対の電極３４５、グランドパターンが電気的に接続される。このようにグランドパターンと、基板カバー６０及びシャーシ１４とを電気的に接続する構成とすれば、コントロール基板４０のグランドの面積をより大きくすることができ、グランドの電位をより安定させることができる。これにより、コントロール基板４０は、電磁波の影響を受けにくくなり、動作信頼性を向上させることができる。
【００７６】
＜実施形態５＞
次に、本発明の実施形態５を図１４によって説明する。本実施形態のバックライト装置４１２は、突部及び基板カバーの構成を上記実施形態とは異なる構成としたものである。なお、上記実施形態と同一部分には、同一符号を付して重複する説明を省略する。
【００７７】
本実施形態においては、コントロール基板４０と基板カバー４６０とが、個別にシャーシ１４に取り付けられている。コントロール基板４０は、例えばビス（図示せず）によって、シャーシ１４の底板１４ａに対して取り付けられている。基板カバー４６０は、底板１４ａに形成された複数の取付台座部４５０に跨る形で配されている。各取付台座部４５０には、その一部をシャーシ１４外面側（図１４の上側）に突き出す（折り曲げる）ことで突部４７０が立設されている。
【００７８】
本実施形態の基板カバー４６０は、平板状をなす本体部４６１を備え、本体部４６１のＸ軸方向における両端部にはシャーシ１４外面側に突き出す取付部４６２が、それぞれ設けられている。取付部４６２は、例えば柱状をなし、取付部４６２をＺ軸方向に貫通する取付孔４６２Ａを有している。なお、基板カバー４６０の材質としては、熱伝導率の高い金属製とされ、例えば、アルミニウムや銅、或いはこれらの合金などを用いることができる。なお、基板カバー４６０の材質は、金属に限定されるものではない。
【００７９】
突部４７０は、その先端部が曲面状をなす略円柱状をなしている。突部４７０の外径は、取付孔４６２Ａの孔径よりもわずかに大きく設定されている。これにより、各取付孔４６２Ａに各突部４７０を圧入することで、基板カバー４６０がシャーシ１４に対して固定される構成となっている。
【００８０】
また、突部４７０は、先端部がフィレット形状をなし、その先端に向かうにつれて先細りとなっている。これにより、突部４７０を取付孔４６２Ａに挿通させやすくなり、作業性が向上する。
【００８１】
そして、基板カバー４６０における本体部４６１には、複数の放熱フィン４６３がシャーシ１４とは反対側に突設されている。また、本体部４６１のコントロール基板４０側の面とコントロール基板４０との間には、放熱シート４８０が介在されている。
【００８２】
放熱シート４８０は、熱伝導性が高く、弾性変形可能な弾性部材とされる。このような放熱シート４８０の一例としては、住友スリーエム株式会社製、商品名「ハイパーソフト放熱材」などを挙げることができる。弾性部材である放熱シート４８０を用いることで、放熱シート４８０の表裏両面を、それぞれ本体部４６１及びコントロール基板４０に対して密着させることが可能となり、放熱性を高くすることができる。
【００８３】
このような構成とすれば、コントロール基板４０（ひいては、コントロール基板４０に実装された回路部品（図示せず））から発生する熱は、放熱シート４８０を介して、基板カバー４６０に伝熱され、放熱フィン４６３から大気中に放熱される。このように、放熱フィン４６３を備えることで、コントロール基板４０から発生する熱を効果的に放熱することができるから、コントロール基板４０の駆動時などにコントロール基板４０の回路部品が高温になる事態を抑制でき、回路部品の動作信頼性を高くすることができる。
【００８４】
また、コントロール基板４０のシャーシ１４側の面とシャーシ１４の底板１４ａの間には、放熱シート４８１が介在されており、コントロール基板４０から発生する熱を、熱伝導によって、シャーシ１４側に放熱することが可能となっている。
【００８５】
なお、本実施形態においては、放熱シート４８０，４８１をコントロール基板４０と接触させる構成としたが、これに限定されない。放熱シート４８０，４８１をコントロール基板４０上の回路部品に接触させる構成としてもよい。また、放熱シート４８０，４８１の代わりに、シリコーングリスなどの熱伝導性の高い部材を介在させてもよい。また、放熱シート４８０を備えずに、基板カバー４６０とコントロール基板４０とを直接接触させる構成としてもよい。
【００８６】
＜他の実施形態＞
本発明は上記記述及び図面によって説明した実施形態に限定されるものではなく、例えば次のような実施形態も本発明の技術的範囲に含まれる。
【００８７】
（１）上記実施形態１〜４において、コントロール基板４０は、ビスなどの取付手段にてシャーシ１４に固定し、基板カバー６０のみを突部にて固定する構成としてもよい。
【００８８】
（２）上記実施形態１において、フック片７０を対向状に形成することで、一対のフック片７０（板片）とし、これを突部としてもよい。
【００８９】
（３）上記実施形態３においては、一対の板片２７０の各々から、それぞれ折り返し部２７１が延びている構成としたが、これに限定されない。例えば、板ばね部２７１は、一対の板片２７０のうち、少なくとも一方の板片から延びている構成であってもよい。
【００９０】
（４）上記実施形態４においては、一対の電極３４５の折り曲げ部３４６Ａが、板片３７０に形成された取付孔３７１に挿通される構成としたが、折り曲げ部３４６Ａ及び取付孔３７１を備えていなくてもよい。また、上記実施形態４においては、ビスＢ１を備えていない構成としてもよい。
【００９１】
（５）上記実施形態では、回路基板として、コントロール基板４０を例示したが、これに限定されない。シャーシ１４に取り付けられる回路基板及び基板カバーであれば、本発明の構成（突部及び係止部にて固定する構成）を適用することが可能である。
【００９２】
（６）上記実施形態では、光源として冷陰極管１７を用いた場合を示したが、これに限定されない。光源として熱陰極管やＬＥＤなどを用いることも可能である。
【００９３】
（７）上記実施形態では、液晶パネル１１及びシャーシ１４がその短辺方向を鉛直方向と一致させた縦置き状態とされるものを例示したが、液晶パネル１１及びシャーシ１４がその長辺方向を鉛直方向と一致させた縦置き状態とされるものも本発明に含まれる。
【００９４】
（８）上記実施形態では、液晶表示装置１０のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００９５】
（９）上記実施形態では、表示パネルとして液晶パネル１１を用いた液晶表示装置１０を例示したが、他の種類の表示パネルを用いた表示装置にも本発明は適用可能である。
【００９６】
（１０）上記実施形態では、チューナーを備えたテレビ受信装置ＴＶを例示したが、チューナーを備えない表示装置にも本発明は適用可能である。
【符号の説明】
【００９７】
１０…液晶表示装置（表示装置）、１１…液晶パネル（表示パネル）、１２，１１２，２１２，３１２，４１２…バックライト装置（照明装置）、１４…シャーシ、１７…冷陰極管（光源）、４０…コントロール基板（回路基板）、６０，２６０，４６０…基板カバー、６３，１６３，２６３，３６３…カバー側挿通孔、７０…フック片（突部）、７３…フック先端部（突部の突出端部）、１７０，２７０…一対の板片（突部）、２７１…折り返し部、３４５…一対の電極（導電部）、３７０…板片（突部）、４６３…放熱フィン、４７０…突部、ＴＶ…テレビ受信装置
【図１】
2012054772.tif 000003
【図２】
2012054772.tif 000004
【図３】
2012054772.tif 000005
【図４】
2012054772.tif 000006
【図５】
2012054772.tif 000007
【図６】
2012054772.tif 000008
【図７】
2012054772.tif 000009
【図８】
2012054772.tif 000010
【図９】
2012054772.tif 000011
【図１０】
2012054772.tif 000012
【図１１】
2012054772.tif 000013
【図１２】
2012054772.tif 000014
【図１３】
2012054772.tif 000015
【図１４】
2012054772.tif 000016